(57)【特許請求の範囲】
【請求項１】
凹溝が長手方向に沿って形成されたシールドケースと、
当該シールドケースの前記凹溝の両端の夫々に配設自在な一対のエンドブロックと、
夫々の当該エンドブロックに固定されて前記シールドケース内に張設自在な放電ワイヤと、
前記シールドケースにおける前記凹溝の開放部分を覆いつつ少なくとも一つの開口部を有するグリッド電極と、
前記グリッド電極の前記開口部から突出して被帯電体に当接し、前記グリッド電極と前記被帯電体との間の距離を一定に保つギャップコロと、
前記エンドブロックに配設されて前記ギャップコロを回動自在に支持するギャップコロ支持部材と、
前記グリッド電極の洗浄時に前記開口部から流入した水が前記放電ワイヤに付着してリークが生じることを防止するリーク防止部材とを備え、
前記リーク防止部材は、前記ギャップコロ支持部材にて保持され、前記エンドブロック内の前記放電ワイヤに対し離間した状態で前記放電ワイヤを前記グリッド電極側から覆う電気絶縁材料で構成してあるスコロトロン帯電器。
【請求項２】
前記リーク防止部材に、そのリーク防止部材の内方側に水が入り込むことを防止する鍔部を設けてある請求項１に記載のスコロトロン帯電器。
【発明の詳細な説明】
【技術分野】
【０００１】
本発明は、凹溝が長手方向に沿って形成されたシールドケースと、そのシールドケースの凹溝の両端の夫々に配設自在な一対のエンドブロックと、それらエンドブロックの夫々に固定されて前記一対のエンドブロックの夫々を前記シールドケースの凹溝の両端の夫々に配設することにより前記シールドケース内に張設自在な放電ワイヤと、前記シールドケースにおける凹溝の開放部分を覆うグリッド電極と、前記放電ワイヤの端部に水が付着してリークが生じることを防止するリーク防止部材とを設けたスコロトロン帯電器に関する。
【背景技術】
【０００２】
従来、この種のスコロトロン帯電器では、リーク防止部材を放電ワイヤの端部が貫通する筒状に形成してあるものがあった（例えば、特許文献１参照。）。
【０００３】
説明を加えると、感光体ドラムやスコロトロン帯電器等を備えた画像形成ユニットの前面に、水分を含ませたパッドを有する清掃具を、パッドがグリッド電極に接触するように取り付け、画像形成ユニットからスコロトロン帯電器を前面側に引き抜くことにより、パッドがグリッド電極に接触してグリッド電極を清掃することができる。そして、感光体ドラムに当接してグリッド電極と感光体ドラムとの間の距離を一定に保つギャップコロが、グリッド電極の両端に設けられた開口から突出する状態で取り付けられており、スコロトロン帯電器を引き抜くときに、水分を含ませたパッドがグリッド電極から突出するギャップコロに扱かれて水が流出する場合がある。このとき、パッドから流れ出した水の一部は、ギャップコロやギャップコロ支持部材を伝って放電ワイヤの端部近傍に滴下することがあり、筒状のリーク防止部材によって放電ワイヤの端部に水が付着するのを防止することが考えられている。
【０００４】
【特許文献１】特開２００５−１３４６４８号公報
【発明の開示】
【発明が解決しようとする課題】
【０００５】
従来のスコロトロン帯電器においては、リーク防止部材が筒状に形成され、放電ワイヤを内方に貫通させた状態で放電ワイヤに支持させてあったがために、放電ワイヤの端部近傍に滴下した水がリーク防止部材と放電ワイヤとの間に毛細管現象により侵入してリークを生じる虞があり、いまだ改善の余地があった。
【０００６】
本発明は、上記実状に鑑みて為されたものであって、その目的は、リークが生じることを防止できるスコロトロン帯電器を提供する点にある。
【課題を解決するための手段】
【０００７】
本発明のスコロトロン帯電器は、凹溝が長手方向に沿って形成されたシールドケースと、
当該シールドケースの前記凹溝の両端の夫々に配設自在な一対のエンドブロックと、
夫々の当該エンドブロックに固定されて前記シールドケース内に張設自在な放電ワイヤと、
前記シールドケースにおける前記凹溝の開放部分を覆いつつ少なくとも一つの開口部を有するグリッド電極と、
前記グリッド電極の前記開口部から突出して被帯電体に当接し、前記グリッド電極と前記被帯電体との間の距離を一定に保つギャップコロと、
前記エンドブロックに配設されて前記ギャップコロを回動自在に支持するギャップコロ支持部材と、
前記グリッド電極の洗浄時に前記開口部から流入した水が前記放電ワイヤに付着してリークが生じることを防止するリーク防止部材とを備え、
前記リーク防止部材は、前記ギャップコロ支持部材にて保持され、前記エンドブロック内の前記放電ワイヤに対し離間した状態で前記放電ワイヤを前記グリッド電極側から覆う電気絶縁材料で構成してある点にある。
【０００８】
すなわち、前記リーク防止部材は、前記エンドブロック内の前記放電ワイヤに対し、離間した状態で前記放電ワイヤを前記グリッド電極側から覆う電気絶縁材料で構成してあるので、放電ワイヤの端部近傍に滴下した水は、リーク防止部材にて受け止められて、放電ワイヤの端部に水が付着してリークが生じることを防止できる。
【０００９】
【００１０】
また、被帯電体に当接して前記グリッド電極と前記被帯電体との間の距離を一定に保つギャップコロと、前記エンドブロックに配設されて前記ギャップコロを回動自在に支持するギャップコロ支持部材とを設け、前記ギャップコロ支持部材にて前記リーク防止部材を保持するように構成してあるので、リーク防止部材を保持するための構成を不要にして構成の簡素化を図ることができる。
【００１１】
本発明の第２特徴構成は、上記第１特徴構成に加えて、前記リーク防止部材に、そのリーク防止部材の内方側に水が入り込むことを防止する鍔部を設けてある点を特徴とする。
【００１２】
すなわち、前記リーク防止部材にそのリーク防止部材の内方側に水が入り込むことを防止する鍔部を設けてあるので、鍔部にてリーク防止部材の内方側に水が入り込むことを防止して、放電ワイヤの端部に水が付着してリークが生じることをより一層防止することができる。
【発明を実施するための最良の形態】
【００１３】
〔第１実施の形態〕
以下、本発明に係るスコロトロン帯電器を画像形成装置に適用した場合について説明する。
画像形成装置は、詳述はしないが、自動原稿送り装置、用紙を給紙する給紙装置、用紙に画像を形成する画像形成ユニットＡ、用紙を排出する排出装置等を備えている。前記画像形成ユニットＡは、感光体ドラム、現像装置（図示せず）、本発明に係るスコロトロン帯電器１等を備えている。そして、図１、図２に示すように、スコロトロン帯電器１は、画像形成ユニットＡ長手方向（画像形成装置の前後方向）にスライド自在に構成されている。
【００１４】
〔スコロトロン帯電器の構成〕
スコロトロン帯電器１は、図３〜図５に示すように、凹溝２ａが長手方向に沿って形成されたシールドケース２、そのシールドケース２の凹溝２ａの両端の夫々に配設自在な一対のエンドブロック３、それらエンドブロック３の夫々に固定されて一対のエンドブロック３の夫々をシールドケース２の凹溝２ａの両端の夫々に配設することによりシールドケース２内に張設自在な放電ワイヤ４、シールドケース２における凹溝２ａの開放部分２ｂを覆うグリッド電極５、放電ワイヤ４の端部４ａに水が付着してリークが生じることを防止するリーク防止部材６等を備えている。
【００１５】
〔エンドブロックの構成〕
前記エンドブロック３は、図４、図５に示すように、上方が開口された箱状に構成されている。シールドケース２長手方向における一方側の側面３ａにＶ字状の切り欠き３ｃが形成され、シールドケース２短手方向における両側面３ｂの夫々に一対の案内用リブ３ｄの夫々が形成されている。エンドブロック３に設けられた固定具７により放電ワイヤ４の端部４ａが固定されている。そして、一対のエンドブロック３の夫々をシールドケース３の凹溝２ａの両端の夫々に配設するときに、放電ワイヤ４が、一対のエンドブロック３の夫々に形成されたＶ字状の切り欠き３ｃの間に掛け渡されて、適正な高さを維持しながらシールドケース２内に張設されるように構成されている。そして、エンドブロック３にギャップコロ支持部材としてのコロホルダ８が配設されている。
【００１６】
〔ギャップコロ及びコロホルダの構成〕
前記コロホルダ８は、図５、図６に示すように、その上側にシールドケース２長手方向に間隔を隔てて形成された一対の軸受け部８ａ、その両横側から上方に延びる一対の係止部８ｂ等を備えている。一対の案内用リブ３ｄの夫々の間にコロホルダ８の両側部の夫々を差し込むことにより、コロホルダ８の位置決めを行うように構成されている。一対の軸受け部８ａにてギャップコロ９における両側の軸９ａが回転自在に支持されている。グリッド電極５の開口５ａを一対の係止部８ｂで係止してある。ギャップコロ９の外周面９ｂがグリッド電極５の開口５ａから突出するとともに、感光体ドラムの外周面に当接するように構成されている。これにより、グリッド電極５と感光体ドラムの外周面との間の距離を一定に保つことができる。
【００１７】
〔リーク防止部材の構成〕
前記リーク防止部材６は、図５〜図７に示すように、電気絶縁材料からなる合成樹脂製のフィルムにて形成されている。リーク防止部材６を構成するに、エンドブロック３内の放電ワイヤ４に対し、離間した状態で放電ワイヤ４をグリッド電極５側から覆う覆い部１０を設けてある。そして、コロホルダ８がエンドブロック３に配設されたときにコロホルダ８にてリーク防止部材６を保持するように構成してある。
【００１８】
説明を加えると、覆い部１０は、放電ワイヤ４の端部４ａ側に傾斜する略矩形状の傾斜部１０ａと、その傾斜部１０の長辺部分から垂直方向に伸びる略台形状の一対の側面部１０ｂとを備えている。そして、それら一対の側面部１０ｂの夫々の下辺部分１０ｃに一対の底面部１０ｄがエンドブロック３の底部３ｅに接触する状態で設けられている。そして、リーク防止部材６をエンドブロック３内に配設し、一対の案内用リブ３ｄの夫々の間にコロホルダ８の両側部の夫々を差し込むことにより、コロホルダ８の下側及びエンドブロック３の底部３ｅにてリーク防止部材６を挟持するように構成されている。これにより、リーク防止部材６を保持するための構成を不要にして構成の簡素化を図ることができる。
【００１９】
以下、グリッド電極を清掃する手順について説明する。
前記画像形成ユニットＡの前面に、水分を含ませたパッド１２を有する清掃具Ｂを、パッド１２の先端部がグリッド電極５に接触するように取り付ける。画像形成ユニットＡからスコロトロン帯電器１を前面側に引き抜くことにより、パッド１２の先端部がグリッド電極５に接触してグリッド電極をシールドケース２長手方向のほぼ全幅に亘って清掃することができる。このとき、水分を含ませたパッド１２がグリッド電極５の開口５ａから突出するギャップコロ９に扱かれて水が流出する場合があり、パッド１２から流れ出した水の一部は、ギャップコロ９やコロホルダ８の軸受け部８ａを伝って放電ワイヤ４の端部４ａ近傍に滴下することがあるが、放電ワイヤ４の端部４ａ近傍に滴下した水は、覆い部１０にて受け止められて、放電ワイヤ４の端部４ａに水が付着してリークが生じることを防止できる。尚、下辺部分１０ｃ及び底面部１０ｄが、エンドブロック３に接触して覆い部１０に付着した水をエンドブロック３に流す接触部１１を構成する。
【００２０】
〔別実施の形態〕
（１）上記実施の形態では、リーク防止部材６を構成するに、エンドブロック３内の放電ワイヤ４に対し、離間した状態で放電ワイヤ４をグリッド電極５側から覆う覆い部１０を設けてある構成を例示したが、更に、図８に示すように、覆い部１０にその覆い部１０の内方側に水が入り込むことを防止する鍔部１３を設けてある構成としてもよい。
【００２１】
（２）上記実施の形態では、コロホルダ８にてリーク防止部材６を保持する構成を例示したが、このような構成に限らず、例えば、ネジや接着剤にてリーク防止部材６を保持する構成としてもよい。
【００２２】
（３）上記実施の形態では、覆い部１０は、放電ワイヤ４の端部４ａ側に傾斜する略矩形状の傾斜部１０ａと、その傾斜部１０の長辺部分から垂直方向に伸びる略台形状の一対の側面部１０ｂとを備える構成を例示したが、傾斜部１０の長辺部分から垂直方向に伸びる略台形状の一対の側面部１０ｂを備えない構成でもよい。
【図面の簡単な説明】
【００２３】
【図１】スコロトロン帯電器を収納した状態における画像形成ユニットの斜視図
【図２】スコロトロン帯電器を引き抜いた状態における画像形成ユニットの斜視図
【図３】スコロトロン帯電器の全体斜視図
【図４】スコロトロン帯電器の要部斜視図
【図５】スコロトロン帯電器の分解斜視図
【図６】スコロトロン帯電器の縦断面図
【図７】リーク防止部材の全体斜視図
【図８】別実施形態におけるリーク防止部材の全体斜視図
【符号の説明】
【００２４】
１        スコロトロン帯電器
２        シールドケース
２ａ      凹溝
２ｂ      開放部分
３        一対のエンドブロック
４        放電ワイヤ
４ａ      端部
５        グリッド電極
６        リーク防止部材
８        ギャップコロ支持部材
９        ギャップコロ
１０      覆い部
１１      接触部
【図１】
0005086842.tif 000002
【図２】
0005086842.tif 000003
【図３】
0005086842.tif 000004
【図４】
0005086842.tif 000005
【図５】
0005086842.tif 000006
【図６】
0005086842.tif 000007
【図７】
0005086842.tif 000008
【図８】
0005086842.tif 000009